(57)【特許請求の範囲】
【請求項１】
アスピレータと、該アスピレータに水を供給する、開閉弁を備えた給水ラインと、一端がガスや粉塵の発生箇所に開口し、他端が前記アスピレータの吸引口に接続された、開閉弁を備えた吸引ラインと、前記アスピレータ内で水に溶解されたガスや粉塵を排出する排出ライン、とを含んでなり、前記給水ラインの開閉弁の上流側と、前記吸引ライン上開閉弁の下流側の該開閉弁に近接する部分との間に、開閉弁を備えた洗浄水供給ラインが設けられてなる、血液透析治療現場で発生するガス・粉塵の処理装置。
【請求項２】
前記洗浄水供給ライン上開閉弁より下流側に、開閉弁を備えた複数の洗浄ラインが分岐されるとともに、前記排出ラインに開閉弁が設けられてなる請求項１に記載の処理装置。
【請求項３】
底面に排水口を有する貯液槽と、該貯液槽に水を供給する給水ラインと、前記排水口に接続された開閉弁を備えた排水ラインと、ポンプとアスピレータを備え、前記貯水槽の水をポンプからアスピレータ、貯水槽と循環させる循環ラインと、一端がガスや粉塵の発生箇所に開口し、他端が前記アスピレータの吸引口に接続された、開閉弁を備えた吸引ラインと、を含んでなる血液透析治療現場で発生するガス・粉塵の処理装置。
【請求項４】
前記貯液層が、給水口とエア抜き口と循環ライン挿通孔を備えた天面を有しており、前記給水口に給水ラインが接続されてなる請求項３に記載の処理装置。
【請求項５】
前記給水ラインの開閉弁の上流側と吸引ラインの開閉弁の下流側の該開閉弁に近接する部分との間に、開閉弁を備えた洗浄水供給ラインが設けられてなる請求項４に記載の処理装置。
【請求項６】
前記洗浄水供給ライン上開閉弁より下流側に、開閉弁を備えた複数の洗浄ラインが分岐されるとともに、前記アスピレータと前記貯液層の間の循環ラインに開閉弁が設けられてなる請求項５に記載の処理装置。
【発明の詳細な説明】
【技術分野】
【０００１】
本発明は、血液透析治療に際し、血液透析装置や透析液調製装置等、血液透析治療に使用する装置の内部に発生する微量なガスや、その治療環境に飛散した製剤の微量粉末からなる粉塵を処理するための方法、および処理装置に関する。
【背景技術】
【０００２】
従来、腎不全の患者や、術後の薬液注入によって水分過多症になった患者などの重篤な状態を改善するために、血液透析装置を使用する血液透析や血液濾過が行われている。
血液透析治療に使用する装置には、例えば特許文献１に記載されているような、粉末状の透析原液製剤をサブホッパに貯蔵しておき、使用毎にホッパに指定量の製剤を切り出し、その後この製剤をスクリューフィーダーによりホッパから溶解用のタンクに切り出して溶解する透析液調製装置がある。このような透析液調整装置においては、ホッパおよびタンクへの切り出し時には、粉末製剤の微粉末が舞い上がり粉塵として装置の隙間から周囲に飛散することがある。また、溶解のために給水されるＲＯ水も、水温と室温の間に差があった場合は、湯気として舞い上がり、製剤を固着させる虞がある。また、湿気などにより粉末製剤から塩化水素などのガスが発生し、装置内に拡散していくことがある。そして、これらの微粉末やガスは、装置の重要な構成要素であるステンレスを錆びさせるだけでなく、使用部品や装置の基板にまで影響を及ぼすことがあった。
【０００３】
【特許文献１】特開２００１−２１８８３５号公報
【０００４】
また、多人数用透析液供給装置においては、消毒時に、配管に使用しているチューブから微量の塩素ガスが漏れ、装置内に溜まることがあり、これらのガスは空気より重いことが多く、装置下部に滞留して部品や装置の基板に影響を及ぼす事があった。
また、個人用透析装置や透析用監視装置、多用途透析装置でも同様に、消毒時に配管のチューブから微量に漏れ出たガスが滞留することがある。これらのガスは空気より重いことが多く、装置下部に滞留して部品や装置の基板に影響を及ぼすことがあった。
一方、機械室に於いては、消毒液として多用される次亜塩素酸ナトリウムをタンクに移し替える際に出るガスや、粉末製剤をサブホッパ等に投入する際に出る微粒子の粉末が漂っていることも多く、作業者への影響も懸念される。
【０００５】
従来、血液透析治療の現場で発生するガスや粉塵の処理装置は無く、単にファンを使用しての換気に頼るのが一般的であった。
しかしながら、この方法は、確実にガスや粉塵を処理できるものではなく、また、単に室内のガスや粉塵を室外へまき散らすことになり、好ましい解決策とは言えない。
また、ＲＯ水製造の過程で生じるＲＯ膜濃縮排水は、従来不要物として捨てていたが、近年、その有効利用が検討されつつある。
【発明の概要】
【発明が解決しようとする課題】
【０００６】
本発明は、血液透析治療に際し、血液透析装置や透析液調製装置等、血液透析治療に使用する装置の内部に発生する微量なガスや、その治療環境に飛散した粉塵を処理するための方法、および処理装置を提供することを目的とする。また、ＲＯ水製造の過程で生じるＲＯ膜濃縮排水を有効に利用できる方法を提供することを目的とする。
【課題を解決するための手段】
【０００７】
本発明の血液透析治療現場で発生するガスや粉塵の処理方法は、発生したガスや粉塵を、アスピレータで吸引し、このアスピレータに供給された水に溶解させて排出することを特徴とする。ここで、水として、従来捨てていたＲＯ水製造の過程で生じるＲＯ膜濃縮排水を利用してもよい。
【０００８】
また、本発明の血液透析治療現場で発生するガス・粉塵の処理装置は、アスピレータと、このアスピレータに水を供給する、開閉弁を備えた給水ラインと、一端がガスや粉塵の発生箇所に開口し、他端が前記アスピレータの吸引口に接続された、開閉弁を備えた吸引ラインと、前記アスピレータ内で水に溶解されたガスや粉塵を排出する排出ライン、とを含んでなることを特徴とする。
ここで、給水ラインの開閉弁の上流側と、吸引ライン上開閉弁の下流側のこの開閉弁に近接する部分との間に、開閉弁を備えた洗浄水供給ラインが設けられていてもよい。また、更に、洗浄水供給ライン上開閉弁より下流側に、開閉弁を備えた複数の洗浄ラインが分岐されるとともに、排出ラインに開閉弁が設けられていてもよい。
【０００９】
また、本発明の血液透析治療現場で発生するガス・粉塵の処理装置は、底面に排水口を有する貯液槽と、この貯液槽に水を供給する給水ラインと、前記排水口に接続された開閉弁を備えた排水ラインと、ポンプとアスピレータを備え、前記貯水槽の水をポンプからアスピレータ、貯水槽と循環させる循環ラインと、一端がガスや粉塵の発生箇所に開口し、他端が前記アスピレータの吸引口に接続された、開閉弁を備えた吸引ライン、とを含んでなることを特徴とする。
ここで、貯液層が、給水口とエア抜き口と循環ライン挿通孔を備えた天面を有しており、前記給水口に給水ラインが接続されていてもよい。この天面は必ずしも必要なものではないが、貯液層への異物の混入を防ぐためには天面を設けるのが好ましい。貯液層の洗浄のために天面を取り外し可能な蓋にしてもよい。また、給水ラインの開閉弁の上流側と吸引ラインの開閉弁の下流側の該開閉弁に近接する部分との間に、開閉弁を備えた洗浄水供給ラインが設けられていてもよい。また、更に、洗浄水供給ライン上開閉弁より下流側に、開閉弁を備えた複数の洗浄ラインが分岐されるとともに、アスピレータと貯液層の間の循環ラインに開閉弁が設けられていてもよい。
尚、アスピレータの吸引口には逆止弁が設けられていてもよい。また、洗浄ラインの設置場所は、洗浄水供給ライン上開閉弁の上流でも構わないが、この場合、排出ラインの開閉弁は必ずしも必要としない。
【００１０】
以上、一般的に本発明を記述したが、より一層の理解は、いくつかの特定の実施例を参照することによって得ることができる。これらの実施例は、本明細書に例示の目的のためにのみ提供されるものであり、他の旨が特定されない限り、限定的なものではない。
【発明の効果】
【００１１】
本発明によれば、以下のような効果が期待できる。すなわち、本発明の処理装置は、発生したガスや粉塵を、アアスピレータで吸引し、このアスピレータに供給された水に溶解させて排出するように構成しているので、血液透析治療現場で発生するガスや粉塵を効率よく除去することができる。また、水として、従来捨てていたＲＯ水製造の過程で生じるＲＯ膜濃縮排水を利用すれば、ＲＯ膜濃縮排水を有効利用することができる。また、電装部から発生する熱をアスピレータで吸引することができるので、電装部の設けられた基盤の冷却効果を期待できる。
【図面の簡単な説明】
【００１２】
【図１】本発明の処理装置の実施例を示す概略説明図である。
【図２】図１に示す処理装置におけるガスや粉塵の処理操作を示す説明図である。
【図３】図１に示す処理装置における吸引ラインの洗浄操作を示す説明図である。
【図４】本発明の処理装置の他の実施例を示す概略説明図である。
【図５】図４に示す処理装置におけるガスや粉塵の処理操作を示す説明図である。
【図６】図４に示す処理装置における吸引ラインの洗浄操作を示す説明図である。
【符号の説明】
【００１３】
１  アスピレータ
１１  吸引口
２  給水ライン
Ｖ１  開閉弁
３  吸引ライン
３１  アスピレータ1と開閉弁Ｖ２までの間の吸引ライン
Ｖ２  開閉弁
４  排出ライン
Ｖ３  開閉弁
５  洗浄水供給ライン
Ｖ４  開閉弁
６１、６２  洗浄ライン
Ｖ５、Ｖ６  開閉弁
７  貯水槽
７１  排水口
７２  給水口
７３  エア抜き口
７４  循環ライン挿通口
８  循環ライン
Ｖ７  開閉弁
9ポンプ
１０  排水ライン        
【発明を実施するための最良の形態】
【００１４】
アスピレータと、このアスピレータに水を供給する、開閉弁を備えた給水ラインと、一端がガスや粉塵の発生箇所に開口し、他端が前記アスピレータの吸引口に接続された、開閉弁を備えた吸引ラインと、前記アスピレータ内で水に溶解されたガスや粉塵を排出する排出ラインとを含み、給水ラインの開閉弁の上流側と、吸引ライン上開閉弁の下流側のこの開閉弁に近接する部分との間に、開閉弁を備えた洗浄水供給ラインが設けられている。また、更に、洗浄水供給ライン上開閉弁より下流側に、開閉弁を備えた複数の洗浄ラインが分岐されるとともに、排出ラインに開閉弁が設けられている。
【００１５】
（実施例１）
次に、本発明の実施例１について、図１〜図３を用いて説明する。
図１は本発明の一実施例を示す処理装置の概略説明図である。
図１に示す処理装置は、アスピレータ１と開閉弁Ｖ１を備えた給水ライン２と、開閉弁Ｖ２を備えた吸引ライン３と、排出ライン４とを含んでなり、給水ライン２には開閉弁Ｖ１の上流側で開閉弁Ｖ４を有する洗浄水供給ライン５が分岐され、吸引ライン３上開閉弁Ｖ２の下流側でこの開閉弁Ｖ２に近接する部分に接続されている。また、この洗浄水供給ライン５にはそれぞれ開閉弁Ｖ５、Ｖ６を備えた洗浄ライン６１、６２が分岐されている。
【００１６】
図２はガスや粉塵の処理操作を示す説明図である。操作前には開閉弁は全て閉じている。吸引ライン３は、一端がガスや粉塵の発生する箇所に開口しており、他端はアスピレータ１の吸引口に接続されている。また、洗浄ラインは、混合タンクやサブホッパ、ホッパ等の洗浄のためのラインである。開閉弁Ｖ1、Ｖ２、Ｖ３が開くと、給水ライン２からアスピレータ１に水が供給される。するとアスピレータ1に陰圧が生じ、発生したガスや粉塵が吸引ライン３を通って吸引口１１からアスピレータ１内に吸引されるとともに、アスピレータ１に供給された水と混合されこれに溶解されて、排出ライン４を通って排出される。
【００１７】
図３はアスピレータ1と開閉弁Ｖ２までの間の吸引ライン３１の洗浄操作を示す説明図である。開閉弁Ｖ１、Ｖ２が閉じ、開閉弁Ｖ４が開くと、洗浄水供給ライン５から吸引ライン３１に供給された水は吸引ライン３１を洗浄し、アスピレータ１を通り排出ライン４を通って排出される。
尚、洗浄操作が終了し、排水ライン４の開閉弁Ｖ３が閉じ、洗浄ライン６１、６２の開閉弁Ｖ５、Ｖ６が開くと、例えばサブホッパやホッパに水が供給され、これらの内部が洗浄される。
【００１８】
（実施例２）
次に、本発明の実施例２について、図４〜図６を用いて説明する。
図４は本発明の一実施例を示す処理装置の概略説明図である。
図４に示す処理装置は、底面に排水口７１を有する貯液槽７と、この貯液槽７に水を供給する給水ライン２と、排水口７１に接続された開閉弁Ｖ３を備えた排水ライン１０と、ポンプ９とアスピレータ１を備え、貯水槽７の水をポンプ９からアスピレータ１、貯水槽７と循環させる循環ライン８と、一端がガスや粉塵の発生箇所に開口し、他端がアスピレータ１の吸引口１１に接続された、開閉弁Ｖ２を備えた吸引ライン３、とを含んでいる。また、貯液層７は、給水口７２とエア抜き口７３と循環ライン挿通孔７４を備えた天面を有しており、給水口７２には給水ライン２が接続されている。この天面は必ずしも必要なものではないが、貯液層７への異物の混入を防ぐためには天面を設けるのが好ましい。貯液層７の洗浄のために天面を取り外し可能な蓋にしてもよい。また、給水ライン２には開閉弁Ｖ１の上流側で開閉弁Ｖ４を有する洗浄水供給ライン５が分岐され、吸引ライン３の開閉弁Ｖ２の下流側でこの開閉弁Ｖ２に近接する部分に接続されている。また、この洗浄水供給ライン５にはそれぞれ開閉弁Ｖ５、Ｖ６を備えた洗浄ライン６１、６２が分岐されており、アスピレータ１と貯液層７の間の循環ライン８には開閉弁Ｖ７が設けられている。
尚、循環ライン８は、図５ではアスピレータ１と貯水槽７を結ぶ一端が貯水槽７の液面下に在り、ポンプ９と貯水槽７を結ぶ他端が貯水槽7の底面に開口しているが、必ずしもこれに限定するものではなく、要は、水がポンプ９からアスピレータ１、貯水槽７と循環できればよく、例えば、アスピレータ１と貯水槽７を結ぶ一端が貯水槽７の液面上に在ってもよく、ポンプ９と貯水槽７を結ぶ他端が貯水槽7の側面に開口していてもよい。
【００１９】
図５はガスや粉塵の処理操作を示す説明図である。操作前には開閉弁は全て閉じている。吸引ライン３は、一端がガスや粉塵の発生する箇所に開口しており、他端はアスピレータ１の吸引口に接続されている。また、洗浄ライン６１、６２は、混合タンクやサブホッパ、ホッパ等の洗浄のためのラインである。給水ライン２の開閉弁Ｖ1、が開き、排水ライン１０の開閉弁Ｖ３が閉じると、給水ライン２から貯水槽７に水が供給される。このときの水位はフロート弁などを用いれば適当に決めることができる。次いで、給水ライン２の開閉弁Ｖ1が閉じ、吸引ライン３の開閉弁Ｖ２と循環ライン８の開閉弁Ｖ７が開き、ポンプ９が駆動すると、水が貯水槽７からポンプ９、アスピレータ1、貯水槽７と循環する。このときアスピレータ１を通る水によってアスピレータ１に陰圧が生じ、血液透析治療現場に発生したガスや粉塵が吸引ライン３を通って吸引口１１からアスピレータ１内に吸引されるとともに、アスピレータ１に供給された水と混合されこれに溶解されて、循環ライン８内を循環し貯液層７内に移される。処理操作が終了したら、吸引ライン３の開閉弁Ｖ２が閉じ、排水ライン１０の開閉弁Ｖ３が開き、ポンプ９が停止して、ガスや粉塵の溶解された水が貯水槽7の排水口７１から排水ライン１０を通って排出される。尚、循環ライン８内の水は、貯液層７の水が排出された後、ポンプ９を駆動することにより排出することができる。
【００２０】
図６はアスピレータ1と開閉弁Ｖ２までの間の吸引ライン３１の洗浄操作を示す説明図である。洗浄水供給ライン５の開閉弁Ｖ４が開くと、洗浄水供給ライン５から吸引ライン３１に供給された水は吸引ライン３１を洗浄し、アスピレータ１を通って貯水槽７に注入され、次いで、貯水槽７の排水口７１から排水ライン１０を通って排出される。
尚、吸引ライン３１の洗浄操作が終了した後、洗浄ライン６１、６２の開閉弁Ｖ５、Ｖ６が開き、循環ライン８の開閉弁７が閉じると、例えばサブホッパ、ホッパに水が供給され、これらの内部が洗浄される。
【図１】
0005729108.tif 000002
【図２】
0005729108.tif 000003
【図３】
0005729108.tif 000004
【図４】
0005729108.tif 000005
【図５】
0005729108.tif 000006
【図６】
0005729108.tif 000007